(57)【特許請求の範囲】
【請求項１】
通信手段による着信報知機能または通話機能を有する通信端末であって、
前記着信報知または通話を行うための音出力手段と、
当該通信端末の動作モードを、前記通信端末に付着した汚れを除去するための音を出力する特定の音モードに指定する音モード指定手段と、
前記特定の音モードでの動作時に、前記着信報知または通話を行うための音と異なる音を出力する駆動制御を前記音出力手段に行う音モード制御手段と
を備えることを特徴とする通信端末。
【請求項２】
請求項１に記載の通信端末であって、
前記音出力手段は、
前記通信端末から音を出力するための防水スピーカと、
超音波を発生し、発生した超音波を前記防水スピーカに伝えるための超音波発生手段と
を含むことを特徴とする通信端末。
【請求項３】
請求項２に記載の通信端末であって、
前記超音波発生手段は、複数の周波数の超音波を発生すること
を特徴とする通信端末。
【請求項４】
請求項３に記載の通信端末であって、
所定の時間を計時するタイマ手段と、
前記タイマ手段が計時する時間に基づいて、前記超音波発生手段が発生する超音波の周波数を前記複数の周波数のいずれかに切り換える周波数切換手段
をさらに備えることを特徴とする通信端末。
【請求項５】
請求項１に記載の通信端末であって、
前記通信端末の汚れ度合いを検出する汚れ検知手段をさらに備え、
前記汚れ検知手段の検出した汚れ度合いに応じて、前記音モード制御手段は、出力する音の強度、周波数、時間のうちの少なくとも１つを変化させること
を特徴とする通信端末。
【請求項６】
請求項１に記載の通信端末であって、
前記通信端末の濡れ度合いを検出する濡れ検知手段をさらに備え、
前記濡れ検知手段により前記通信端末が液体に濡れたことを検出した際、自動的に前記特定の音モードでのクリーニングを実行すること
を特徴とする通信端末。
【請求項７】
通信手段を有する通信端末であって、
前記通信手段による着信報知を行うための振動手段と、
前記通信端末に付着した汚れを除去するための振動を出力する特定の振動モードを指定する振動モード指定手段と、
前記特定の振動モード時に、前記着信報知のための振動と異なる振動を発生させる駆動制御を行う振動モード制御手段と
を備えることを特徴とする通信端末。
【請求項８】
請求項７に記載の通信端末であって、
前記通信端末の汚れ度合いを検出する汚れ検知手段をさらに備え、
前記振動モード制御手段は、前記汚れ検知手段が検出した汚れ度合いに応じて、出力する振動の強度、周波数、時間の少なくとも１つを変化させること
を特徴とする通信端末。
【請求項９】
請求項７に記載の通信端末であって、
前記通信端末の濡れ度合いを検出する濡れ検知手段をさらに備え、
前記濡れ検知手段により前記通信端末が液体に濡れたことを検出した際、前記特定の振動モードでのクリーニングを自動的に実行すること
を特徴とする通信端末。
【請求項１０】
請求項７に記載の通信端末であって、
前記通信端末の濡れ度合いを検出する濡れ検知手段をさらに備え、
前記濡れ検知手段により前記通信端末が液体に濡れている状態から、乾いている方向に遷移したことを検出した際、前記特定の振動モードでの水滴除去動作を自動的に実行すること
を特徴とする通信端末。
【請求項１１】
請求項７に記載の通信端末であって、
前記着信または通話を行うための音出力手段と、
前記通信端末に付着した汚れを除去するための音を出力する特定の音モードに指定する音モード指定手段と、
前記特定の音モード時に、前記着信報知または通話を行うための音とは異なる音を出力する駆動制御を前記音出力手段に行う音モード制御手段と
をさらに備えることを特徴とする通信端末。
【請求項１２】
請求項１１に記載の通信端末であって、
所定の時間を計時するタイマ手段と、
前記タイマ手段が計時する時間に基づいて、前記音モード制御手段と振動モード制御手段との切り換えまたは終了を行うモード切り換え／終了手段と
をさらに備えることを特徴とする通信端末。
【請求項１３】
コンピュータに、
着信報知または通話を行う機能と、
当該コンピュータの動作モードを、当該コンピュータに付着した汚れを除去するための音を出力する特定の音モードに指定する機能と、
前記特定の音モードでの動作時に、前記着信報知または通話を行うための音と異なる音を出力する駆動制御を行う機能と
を実現させるためのプログラム。
【請求項１４】
コンピュータに、
振動により着信報知を行う機能と、
付着した汚れを除去するための振動を出力する特定の振動モードを指定する機能と、
前記特定の振動モード時に、前記着信報知のための振動と異なる振動を発生させる駆動制御を行う機能と
を実現させるためのプログラム。
【発明の詳細な説明】
【技術分野】
【０００１】
本発明は、通信端末、及びプログラムに関し、布で拭くといった作業をせずに、容易かつ安全に通信端末の汚れを除去する技術に関する。
【背景技術】
【０００２】
特許文献１には、表示部の表面をなぞるように移動するクリーニング構成部を有するようにして、携帯機器をクリーニングすることが開示されている。
【０００３】
【特許文献１】特開２００４−３１２１４３号公報
【発明の開示】
【発明が解決しようとする課題】
【０００４】
しかし、上記のようなクリーニング構成部を設けることは、大幅な機構部品の増加を伴う。また限られた一部分のみをクリーニングすることしかできない。さらにクリーニング構成部が摺動によって汚れを除去するので、傷等を付けることなく汚れを除去することが難しい。
【０００５】
本発明はこのような事情に鑑みてなされたもので、布で拭くといった作業をせずに、容易かつ安全に通信端末の汚れを除去することが可能な通信端末、及びプログラムを提供することを目的とする。
【課題を解決するための手段】
【０００６】
本発明のうち請求項１に記載の発明は、通信手段による着信報知機能または通話機能を有する通信端末であって、前記着信報知または通話を行うための音出力手段と、当該通信端末の動作モードを、前記通信端末に付着した汚れを除去するための音を出力する特定の音モードに指定する音モード指定手段と、前記特定の音モードでの動作時に、前記着信報知または通話を行うための音と異なる音を出力する駆動制御を前記音出力手段に行う音モード制御手段とを備えることとする。
【０００７】
本発明のうち請求項２に記載の発明は、請求項１に記載の通信端末であって、前記音出力手段は、前記通信端末から音を出力するための防水スピーカと、超音波を発生し、発生した超音波を前記防水スピーカに伝えるための超音波発生手段とを含むこととする。
【０００８】
本発明のうち請求項３に記載の発明は、請求項２に記載の通信端末であって、前記超音波発生手段は、複数の周波数の超音波を発生することとする。
【０００９】
本発明のうち請求項４に記載の発明は、請求項３に記載の通信端末であって、所定の時間を計時するタイマ手段と、前記タイマ手段が計時する時間に基づいて、前記超音波発生手段が発生する超音波の周波数を前記複数の周波数のいずれかに切り換える周波数切換手段をさらに備えることとする。
【００１０】
本発明のうち請求項５に記載の発明は、請求項１に記載の通信端末であって、前記通信端末の汚れ度合いを検出する汚れ検知手段をさらに備え、前記汚れ検知手段の検出した汚れ度合いに応じて、前記音モード制御手段は、出力する音の強度、周波数、時間のうちの少なくとも１つを変化させることとする。
【００１１】
本発明のうち請求項６に記載の発明は、請求項１に記載の通信端末であって、前記通信端末の濡れ度合いを検出する濡れ検知手段をさらに備え、前記濡れ検知手段により前記通信端末が液体に濡れたことを検出した際、自動的に前記特定の音モードでのクリーニングを実行することとする。
【００１２】
本発明のうち請求項７に記載の発明は、通信手段を有する通信端末であって、前記通信手段による着信報知を行うための振動手段と、前記通信端末に付着した汚れを除去するための振動を出力する特定の振動モードを指定する振動モード指定手段と、前記特定の振動モード時に、前記着信報知のための振動と異なる振動を発生させる駆動制御を行う振動モード制御手段とを備えることとする。
【００１３】
本発明のうち請求項８に記載の発明は、請求項７に記載の通信端末であって、前記通信端末の汚れ度合いを検出する汚れ検知手段をさらに備え、前記振動モード制御手段は、前記汚れ検知手段が検出した汚れ度合いに応じて、出力する振動の強度、周波数、時間の少なくとも１つを変化させることとする。
【００１４】
本発明のうち請求項９に記載の発明は、請求項７に記載の通信端末であって、前記通信端末の濡れ度合いを検出する濡れ検知手段をさらに備え、前記濡れ検知手段により前記通信端末が液体に濡れたことを検出した際、前記特定の振動モードでのクリーニングを自動的に実行することとする。
【００１５】
本発明のうち請求項１０に記載の発明は、請求項７に記載の通信端末であって、前記通信端末の濡れ度合いを検出する濡れ検知手段をさらに備え、前記濡れ検知手段により前記通信端末が液体に濡れている状態から、乾いている方向に遷移したことを検出した際、前記特定の振動モードでの水滴除去動作を自動的に実行することとする。
【００１６】
本発明のうち請求項１１に記載の発明は、請求項７に記載の通信端末であって、前記着信または通話を行うための音出力手段と、前記通信端末に付着した汚れを除去するための音を出力する特定の音モードに指定する音モード指定手段と、前記特定の音モード時に、前記着信報知または通話を行うための音とは異なる音を出力する駆動制御を前記音出力手段に行う音モード制御手段とをさらに備えることとする。
【００１７】
本発明のうち請求項１２に記載の発明は、請求項１１に記載の通信端末であって、所定の時間を計時するタイマ手段と、前記タイマ手段が計時する時間に基づいて、前記音モード制御手段と振動モード制御手段との切り換えまたは終了を行うモード切り換え／終了手段とをさらに備えることとする。
【００１８】
本発明のうち請求項１３に記載の発明は、プログラムであって、コンピュータに、着信報知または通話を行う機能と、当該コンピュータの動作モードを、当該コンピュータに付着した汚れを除去するための音を出力する特定の音モードに指定する機能と、前記特定の音モードでの動作時に、前記着信報知または通話を行うための音と異なる音を出力する駆動制御を行う機能とを実現させる。
【００１９】
本発明のうち請求項１４に記載の発明は、プログラムであって、コンピュータに、振動により着信報知を行う機能と、付着した汚れを除去するための振動を出力する特定の振動モードを指定する機能と、前記特定の振動モード時に、前記着信報知のための振動と異なる振動を発生させる駆動制御を行う機能とを実現させる。
【発明の効果】
【００２０】
本発明によれば、布で拭くといった作業をすることなく、容易かつ安全に通信端末の汚れを除去することができる。
【発明を実施するための最良の形態】
【００２１】
以下、図面を参照して本発明の実施形態について説明する。
（１−１）装置構成
以下、通信端末の一例として携帯電話機１について説明する。携帯電話機１は、無線基地局を介して携帯電話網に接続して他の携帯電話機や固定電話機等の他の通信装置と音声通話やデータ通信を行う。なお、通信端末は必ずしも携帯電話機１に限らず、例えばノート型又はデスクトップ型のパーソナルコンピュータ、ＰＤＡ（Personal Digital Assistant）などの携帯型情報端末、デジタルカメラ、音楽プレーヤ、及び携帯型ゲーム機などの任意の装置であってよい。
【００２２】
図１に携帯電話機１のブロック図を示している。同図に示すように、携帯電話機１は、中央制御部１１、ＲＡＭ１２（RAM : Random Access Memory）、ＲＯＭ１３（ROM : Read Only Memory）（フラッシュＲＯＭ等の書き換え可能なものも含む）、無線通信送受信部１４、音声信号処理部１６、表示部１７、操作部１８、ＲＴＣ１９（RTC : Real Time Clock）、及び報知部２０、汚れセンサ２１、濡れセンサ２２、第１振動子２４、第２振動子２５、カメラ２６、及び電源２７を備えている。なお、携帯電話機１は防水処理が施され、水槽などに水没させても内部に浸水しない構造になっている。
【００２３】
中央制御部１１は、ＣＰＵ（Central Processing Unit)、ＭＰＵ（Micro Processing Unit）等を用いて構成されている。中央制御部１１は、携帯電話機１の統括的な制御を行うとともに、携帯電話機１が提供する各種の機能を実現する。
【００２４】
ＲＡＭ１２(又はＲＯＭ１３）には、中央制御部１１が実行するプログラム、及び電話番号やメールアドレスなどの通話やデータ通信に用いるデータが記憶される。またＲＡＭ１２(又はＲＯＭ１３）には後述するクリーニングパラメータ１２１が記憶される。
【００２５】
無線通信送受信部１４は、無線通信送受信部１４は、携帯電話網の基地局と無線通信を行って携帯電話機１を携帯電話網に接続する。無線通信送受信部１４は例えばＤＳＰ（DSP : Digital Signal Processor）を用いて構成されている。    
【００２６】
音声信号処理部１６は、マイクロフォン１６１に入力されるアナログの音声信号をデジタル化した信号を中央制御部１１に入力する。また音声信号処理部１６は中央制御部１１から入力されるデジタル信号をアナログ化した信号をスピーカ（以下、第１スピーカ１６２と称する。）に供給する。
【００２７】
表示部１７は、液晶パネル、ＥＬ（EL : Electro Luminescence）パネル、電子ペーパ（電気泳動方式、液晶方式、電界析出方式、感熱方式、ＭＥＭＳ（MEMS : Micro Electro Mechanical Systems）方式、ブラウン管モニタ等の装置であり、情報を視覚化して出力する。
【００２８】
操作部１８は、操作ボタン、タッチパネル、操作ダイヤル、キーボード、マウス等を有するユーザインタフェースであり、ユーザが行った操作入力を電気信号に変換して中央制御部１１に入力する。
【００２９】
ＲＴＣ１９は、日付や時刻等の現在の日時情報を中央制御部１１に提供するクロックである。中央制御部１１はＲＴＣ１９から提供される時刻を用いて計時を行う（タイマ手段）。
【００３０】
報知部２０は、サウンドスピーカ（以下、第２スピーカ２０１と称する。）、ＬＥＤ２０２、バイブレータ２０３等であり、通話や電子メールの着信があると、ユーザが知覚可能な音、光、振動等を発してその旨をユーザに報知する。
【００３１】
汚れセンサ２１は、携帯電話機１の筐体外装の汚れ度合いを検出する。また濡れセンサ２２は、携帯電話機１の筐体外装の濡れ度合いを検出する。汚れセンサ２１及び濡れセンサ２２は抵抗値の変化によって汚れや濡れを検出し、汚れや濡れの度合いに応じた電気信号を中央制御部１１に入力する。汚れセンサ２１の一例として、例えば、特開平０７−１５１９４６号公報に開示されるものがある。なお、節電のため、汚れセンサ２１及び濡れセンサ２２の駆動電力はユーザの操作入力によりオフすることができる。また汚れセンサ２１及び濡れセンサ２２は、所定時間が経過すると自動的にオフするように設定することもできる。
【００３２】
第１振動子２４及び第２振動子２５は、圧電効果、磁気歪み効果等により超音波を発生する。中央制御部１１は、第１振動子２４又は第２振動子２５から発せられる超音波を電気信号に変換し、これを第１スピーカ１６２又は第２スピーカ２０１に入力して第１スピーカ１６２又は第２スピーカ２０１から超音波を出力する。なお、第１振動子２４と第２振動子２５とは異なる周波数の超音波を発生する。
【００３３】
カメラ２６は、撮影レンズ２６１に入射する映像を撮像素子によってデジタル信号に変換し、映像データ（動画データ、静止画データ）を生成する。
【００３４】
電源２７は、リチウムイオン二次電池、リチウムポリマー電池、燃料電池等であり、携帯電話機１を駆動させるための電力を供給する。
【００３５】
携帯電話機１の外観を図２Ａ、図２Ｂに示す。携帯電話機１は、図示しない蝶番機構を介して折畳み可能（開閉自在）に接続された２つの筐体（第１筐体１０２、第２筐体１０３）を備えるシェル構造を呈する。携帯電話機１は、表示部１７として、第１筐体１０２の内周側に設けられた第１表示部１７１と、第１筐体１０２の外周側に設けられた第２表示部１７２とを備える。また携帯電話機１は、第１筐体１０２の外周側に撮影レンズ２６１を備える。
【００３６】
図２Ａに示すように、第１スピーカ１６２は、第１筐体１０２の内周側に設けられている。図２Ｂに示すように、第２スピーカ２０１は、第２筐体１０３の外周側に設けられている。第１スピーカ１６２及び第２スピーカ２０１はいずれも防水加工が施された防水スピーカである。
【００３７】
図２Ａ、図２Ｂに示すように、汚れセンサ２１は、携帯電話機１の複数箇所に設けられている。また濡れセンサ２２は、携帯電話機１の複数箇所に設けられている。複数箇所に設けられている汚れセンサ２１の値を調べることで、携帯電話機１の局所的な汚れ度合いのみならず、全体的な汚れ度合いを検知することができる。
【００３８】
また複数箇所に設けられている濡れセンサ２２の値を調べることで、携帯電話機１の局所的な濡れ度合いのみならず、全体的な濡れ度合いを検知することができる。また複数の濡れセンサ２２から入力される信号が閾値を超えているか否かを判断することにより、携帯電話機１が水没しているか否かを判断することができる。なお、携帯電話機１に圧力センサ（水圧センサ）を別途設け、圧力センサから入力される信号が閾値を超えているか否かを判断することにより携帯電話機１が水没しているか否かを判断するようにしてもよい。
【００３９】
以上に説明した構成に加えて、携帯電話機１は、超音波やバイブレータ２０３の振動により自身を洗浄（クリーニング）する機能を有している。ユーザは携帯電話機１に適宜洗浄方法（以下、動作モードと称する。）を指定することができる。
【００４０】
図３はユーザに動作モードを指定させる際、携帯電話機１が表示部１７に表示する画面（以下、動作モード設定画面３００）である。ユーザは動作モード設定画面３００が表示されている状態で操作部１８に所定の操作を行うことにより、バイブレータ２０３のみを用いる動作モード（以下、振動モードと称する。）、超音波のみを用いる動作モード（以下、超音波モードと称する。）、バイブレータ２０３及び超音波を併用する動作モード（以下、併用モード）のいずれかの動作モードを指定することができる。図４に携帯電話機１の洗浄を行っている様子を示す。同図に示すように、洗浄は携帯電話機１を液体（水や洗浄液等）に水没させた状態で行う。同図に示すように、表示部１７には、現在、超音波モードによるクリーニング中である旨を示すメッセージが表示されている。なお、携帯電話機１は必ずしも全体を水没させた状態で洗浄する必要はなく、携帯電話機１の一部のみを水没させた状態（一部分が水面から出ている状態）で洗浄するようにしてもよい。
【００４１】
図５に通常のスピーカ、バイブレータ２０３の用い方とクリーニング動作での駆動制御の違い、及びクリーニング動作での洗浄効果を示している。超音波洗浄の原理は、例えば液中の気泡が破裂する際に生じる衝撃波（キャビテーション）や液体分子の衝撃（加速）、物理化学的反応によるものであり、超音波洗浄は例えば携帯電話機１の外装表面や撮影レンズ２６１に付着した細かい汚れ（手垢等）を落とす場合に有効である。
【００４２】
なお、図５に示すように超音波は周波数によってその洗浄効果が異なる。例えば２４〜２８ｋＨｚ（振動数０）の超音波は様々な形態の付着物に対して有効である。また１８〜２０ｋＨｚ（振動数１）の超音波は、体積や重量の大きな付着物や材厚のある付着物に対して有効である。３６〜４０ｋＨｚ（振動数２）の超音波は、短小軽量な付着物、材厚の薄い付着物、精密度な付着物に対して有効である。またユーザは汚れ度合いや汚れのタイプ等に応じて超音波を発生させる時間（５分／１０分／２０分／３０分等）や出力レベルを携帯電話機１に設定することもできる。
【００４３】
図５に示すように、バイブレータ２０３は比較的大きな付着物（土やシール痕等）を落とすのに有効である。ユーザは汚れ度合いや汚れのタイプに応じてバイブレータ２０３を振動させる時間（５分／１０分等）や振動周波数（振動モータの回転数）を設定することができる。また携帯電話機１に付着した水滴の除去を目的として、短期間（例えば１５秒）だけバイブレータ２０３が振動(以下、水滴除去動作と称する。）するように携帯電話機１に設定することができる。
（１−２）動作例
次に携帯電話機１の具体的な動作について説明する。図６は携帯電話機１の動作を説明するフローチャートである。なお、以下の説明において符号の前に付した「Ｓ」の文字はステップを意味する。
【００４４】
主電源がオフされている状態（例えば待機用の電力供給のみが行われている状態）において、携帯電話機１は操作部１８に対して主電源をオンにする操作（以下、電源オン操作と称する。）が行われたか否かを監視している（Ｓ６１１）。携帯電話機１は、電源オン操作が行われたことを検知すると（Ｓ６１１：ＹＥＳ）、主電源をオンし、位置登録処理などの携帯電話機１を無線通信網３に接続するための処理（以下、待受処理（Ｓ６１２）と称する。）を開始する。
【００４５】
待受処理（Ｓ６１２）の開始後、携帯電話機１は、着信があるか否かを判断する（Ｓ６１３）。着信があると判断した場合（Ｓ６１３：ＹＥＳ）、携帯電話機１は、着信報知処理（Ｓ６１４）、及び通話処理（Ｓ６１５）を行った後、再び待受処理（Ｓ６１２）に戻る。着信報知処理（Ｓ６１４）、及び通話処理（Ｓ６１５）の詳細については後述する。
【００４６】
Ｓ６１３において着信がないと判断した場合（Ｓ６１３：ＮＯ）、次に携帯電話機１は操作部１８に対して何らかの操作が行われたか否かを判断する（Ｓ６１６）。操作部１８に対して何らかの操作が行われたと判断した場合は（Ｓ６１６：ＹＥＳ）Ｓ６１７に進み、操作が行われていないと判断した場合（Ｓ６１６：ＮＯ）はＳ６４０に進む。
【００４７】
Ｓ６１７において、携帯電話機１は、操作部１８に対して行われた操作がクリーニング機能の設定操作であるか否かを判断する（Ｓ６１７）。クリーニング機能の設定操作であると判断した場合は（Ｓ６１７：ＹＥＳ）Ｓ６１８に進み、クリーニングパラメータ設定処理（Ｓ６１８）を行った後、再び待受処理（Ｓ６１２）に戻る。クリーニングパラメータ設定処理（Ｓ６１８）の詳細については後述する。
【００４８】
Ｓ６１７においてクリーニング機能の設定操作でないと判断した場合は（Ｓ６１７：ＮＯ）Ｓ６１９に進む。Ｓ６１９において、携帯電話機１は、操作部１８に対して行われた操作がクリーニング機能の指示操作であるか否かを判断する。クリーニング機能の指示操作であると判断した場合は（Ｓ６１９：ＹＥＳ）Ｓ６２０に進む。クリーニング機能の指示操作でないと判断した場合はＳ６３０に進む。
【００４９】
Ｓ６２０において、携帯電話機１はクリーニングパラメータが設定済みか否かを判断する。クリーニングパラメータが設定済みであると判断した場合は（Ｓ６２０：ＹＥＳ）Ｓ６２１に進む。設定済みでないと判断した場合（Ｓ６２０：ＮＯ）、携帯電話機１はクリーニングパラメータの設定処理を行った後（Ｓ６１８）、Ｓ６２１に進む。
【００５０】
Ｓ６２１において、携帯電話機１は、汚れセンサ２１から出力される信号に基づきクリーニングパラメータを設定（既に設定されているクリーニングパラメータを変更）する。
【００５１】
次に携帯電話機１は、濡れセンサ２２からの信号に基づき、携帯電話機１が自身が水没しているか否かを判断する（Ｓ６２２）。なお、この判断を行うことにより、水没していない状態で携帯電話機１がクリーニング動作を開始してしまうのを防ぐことができる。水没していると判断した場合（Ｓ６２２：ＹＥＳ）、携帯電話機１はクリーニング動作（Ｓ６２３）を開始する。クリーニング動作（Ｓ６２３）の詳細については後述する。
【００５２】
次に携帯電話機１は、濡れセンサ２２からの信号に基づき、自身が水から出されたか否か（液体に濡れている状態から乾いている方向に遷移したか）を判断する（Ｓ６２４）。水から出されたと判断した場合（Ｓ６２４：ＹＥＳ）、携帯電話機１は、水滴除去動作（Ｓ６２５）を開始する。水滴除去動作（Ｓ６２５）の詳細については後述する。なお、このようにクリーニング動作を行った後に水滴除去動作を行うようにしているのは、クリーニングに際し外装等に付着した水滴を除去するためである。
【００５３】
Ｓ６３０では、携帯電話機１は操作部１８に対して主電源をオフする操作（以下、電源オフ操作と称する。）が行われたか否かを判断する。電源オフ操作が行われたと判断した場合（Ｓ６３０：ＹＥＳ）、携帯電話機１は主電源をオフする（Ｓ６３１）。電源オフ操作が行われていないと判断した場合（Ｓ６３０：ＮＯ）、携帯電話機１はその他の操作に対応するその他の処理（Ｓ６３２）を行い、その後は待受処理（Ｓ６１２）に戻る。
【００５４】
Ｓ６４０では、携帯電話機１は、濡れセンサ２２からの信号に基づき自身が濡れているか否かを判断する。濡れていると判断した場合（Ｓ６４０：ＹＥＳ）、携帯電話機１はさらに自身が水没しているか否（軽微な濡れの状態（濡れ度合いが小の状態））かを判断する（Ｓ６４１）。水没していると判断した場合（Ｓ６４１：ＹＥＳ）、携帯電話機１はクリーニング動作（Ｓ６２３）を開始し、その後は待受処理（Ｓ６１２）に戻る。水没していない（軽微な濡れの状態）と判断した場合（Ｓ６４１：ＮＯ）、携帯電話機１は水滴除去動作（Ｓ６２５）を開始し、その後は待受処理（Ｓ６１２）に戻る。
【００５５】
ところで、以上に説明した汚れセンサ２１または濡れセンサ２２から入力される信号に応じて行われるクリーニング動作（Ｓ６２３）や水滴除去動作（Ｓ６２５）の自動起動（Ｓ６２２〜Ｓ６２５、Ｓ６４０〜Ｓ６２５）は、ユーザが操作部１８に所定の操作入力を行うことによってオンオフすることができる。
【００５６】
図７は図６のクリーニングパラメータ設定処理（Ｓ６１８）の詳細を説明するフローチャートである。
【００５７】
Ｓ７１１において、携帯電話機１は、図３に示した動作モード設定画面３００を表示部１７に表示し、操作部１８に対するユーザの設定入力を待機する（Ｓ７１２、Ｓ７１３）。ユーザが設定入力を行うと（Ｓ７１３：ＹＥＳ）、携帯電話機１は入力された動作モードを一時記憶する（Ｓ７１４）。一方、タイムアウトや動作モードの設定入力をキャンセルする操作が行われる等により、設定入力が行われない場合（Ｓ７１３：ＮＯ）、携帯電話機１はデフォルトの動作モード、もしくは、前回のクリーニング動作時の動作モードを一時記憶する（Ｓ７１５）。
【００５８】
次に携帯電話機１は、クリーニングのための各種パラメータの設定入力を待機する（Ｓ７１６、Ｓ７１７）。ここで各種パラメータとは、クリーニング時の超音波の強度、周波数、超音波の照射時間（ｔｂ１，ｔｂ２，ｔｓ１、ｔｓ２、ｔｂ、ｔｓ）である。ユーザがパラメータの設定入力を行うと（Ｓ７１７：ＹＥＳ）、携帯電話機１は、設定入力されたパラメータを一時記憶する（Ｓ７１８）。なお、ユーザは、例えば表示部１７に表示されるパラメータから所望のパラメータを選択することによりパラメータを設定することもできる。
【００５９】
Ｓ７１７において、ユーザが各種パラメータの設定入力を行わない場合（Ｓ７１７：ＮＯ）、携帯電話機１はデフォルトのパラメータ、もしくは、前回のクリーニング動作時に設定されていた各種パラメータを一時記憶する（Ｓ７１９）。
【００６０】
Ｓ７２０において、携帯電話機１は、一時記憶している動作モードを現在の動作モードとして、また一時記憶している各種パラメータを現在のクリーニングパラメータとして記憶（設定）する。
【００６１】
ここでクリーニングの動作モードや各種パラメータのデフォルト値は、例えば工場出荷時に予め携帯電話機１にクリーニングパラメータ１２１として記憶されている。ユーザはクリーニングの動作モードや各種パラメータのデフォルト値を携帯電話機１に設定しておくこともできる。なお、汚れセンサ２１の検出結果(汚れ度合い）に応じて各種パラメータを自動的に設定する場合（Ｓ６２１）、ユーザの設定入力による各種パラメータの設定（Ｓ７１８）を行わないようにしてもよい。また、自動設定又はユーザの設定入力のいずれを優先するかをユーザが選べるようにしてもよい。
【００６２】
図８は図６のクリーニング動作（Ｓ６２３）の詳細を説明するフローチャートである。
【００６３】
Ｓ８１１において、携帯電話機１は、待受処理（Ｓ６１２）等の他の機能をオフする。なお、他の機能をオフするのは、携帯電話機１のクリーニングが携帯電話機１を水没させた状態で行われるため、クリーニング中に着信やメール受信があってもユーザが迅速に対応できないからである。但し必ずしも他の機能をオフしなくてもよい。例えば待受処理（Ｓ６１２）を動作させておき、クリーニング中に着信又はメール受信があるとＬＥＤ２０２の明滅等によりその旨をユーザに報知するようにしてもよい。
【００６４】
Ｓ８１２では、携帯電話機１はクリーニングパラメータ１２１を読み出し、動作モードとして振動モードが設定されているか否かを判断する（Ｓ８１３）。振動モードが設定されていた場合（Ｓ８１３：ＹＥＳ）、携帯電話機１はバイブレータ２０３をオンし（Ｓ８１４）、時間ｔｂ１が経過したか否かの判断（タイマ計測）を開始する（Ｓ８１５）。時間ｔｂ１が経過すると（Ｓ８１５：ＹＥＳ）、携帯電話機１はバイブレータ２０３をオフする（Ｓ８１６）。その後はＳ８４０に進む。
【００６５】
Ｓ８１３において、動作モードとして振動モードが設定されていない場合（Ｓ８１３：ＮＯ）、携帯電話機１は、動作モードとして超音波モードが設定されているか否かを判断する（Ｓ８２０）。超音波モードが設定されていた場合（Ｓ８２０：ＹＥＳ）、携帯電話機１は第１振動子２４をオンして超音波の出力を開始する。
【００６６】
Ｓ８２２では、携帯電話機１は、第１振動子２４をオンするとともに、時間ｔｓ１が経過したか否かの判断（タイマ計測）を開始する（Ｓ８２２）。時間ｔｓ１が経過すると（Ｓ８２２：ＹＥＳ）、携帯電話機１は第１振動子２４をオフして第２振動子２５をオンするとともに（Ｓ８２３）、時間ｔｓ２が経過したか否かの判断（タイマ計測）を開始する（Ｓ８２４）。時間ｔｓ２が経過すると（Ｓ８２４：ＹＥＳ）、携帯電話機１は第２振動子２５をオフする（Ｓ８２５）。その後はＳ８４０に進む。
【００６７】
ここで第１振動子２４と第２振動子２５のそれぞれの発振周波数を異ならせておけば、一度のクリーニング動作で異なる周波数の超音波を照射することができ、態様の異なる付着物を短い時間で効率よく除去することができる。
【００６８】
Ｓ８２０において、超音波モードが設定されていない場合（Ｓ８２０：ＮＯ）、すなわち動作モードがバイブレータ２０３による振動と超音波を併用する併用モードに設定されている場合には、Ｓ８３０に進む。Ｓ８３０では、携帯電話機１は、バイブレータ２０３をオンするとともに、時間ｔｂが経過したか否かの判断（タイマ計測）を開始する（Ｓ８３１）。時間ｔｂが経過すると（Ｓ８３１：ＹＥＳ）、携帯電話機１はバイブレータ２０３をオフして振動子（第１振動子２４または第２振動子２５のいずれか一方または双方）をオンするとともに（Ｓ８３２）、時間ｔｓが経過したか否かの判断（タイマ計測）を開始する（Ｓ８３３）。時間ｔｓが経過すると（Ｓ８２３：ＹＥＳ）、携帯電話機１は振動子をオフする（Ｓ８３４）。その後はＳ８４０に進む。なお、Ｓ８３２〜Ｓ８３４において、超音波モードの場合（Ｓ８２１〜Ｓ８２５）と同様に、振動子の周波数を異なる周波数に切り換えてクリーニングするようにしてもよい。
【００６９】
このように、併用モードではバイブレータ２０３と振動子による超音波の双方によって同時に洗浄が行われるので、態様の異なる付着物を短い時間で効率よく除去することができる。
【００７０】
Ｓ８４０では、携帯電話機１は、報知部２０によりクリーニングが終了した旨をユーザに報知する。また携帯電話機１はＳ８１１においてオフしていた他の機能を再開する。その後は元の処理（図６のＳ６２４又はＳ６１２）に戻る。
【００７１】
超音波モードでの動作（Ｓ８２１〜Ｓ８２５）において、第１振動子２４と第２振動子２５とが同時に動作する期間があってもよい。また併用モードでの動作（Ｓ８３０〜Ｓ８３４）において、バイブレータ２０３と振動子（第１振動子２４又は第２振動子２５）が同時に動作している期間があってもよい。また超音波モード（Ｓ８２１〜Ｓ８２５）または併用モード（Ｓ８３０〜Ｓ８３４）において、超音波の周波数として３種類以上の周波数を用いてクリーニングを行うようにしてもよい。この場合において、異なる周波数によるクリーニングが同時に行われる期間があってもよい。
【００７２】
またクリーニングは携帯電話機１を水没させた状態で行うので、ユーザがクリーニング指示（Ｓ６１９）を行ってから直ぐにクリーニング動作を開始するのではなく、ユーザが携帯電話機１を水没させるのに要する見込み時間が経過してからクリーニング動作が自動的に開始されるようにしてもよい。また上記見込み時間をユーザが携帯電話機１に設定できるようにしてもよい。またユーザが手動でクリーニング動作の開始／停止を切り換えることができるようにしてもよい。
【００７３】
図９は図６の水滴除去動作（Ｓ６２５）の詳細を説明するフローチャートである。図６に示しているように、水滴除去動作（Ｓ６２５）は、携帯電話機１を水没させてクリーニングを行った後に水から取り出した際（Ｓ６２４：ＹＥＳ）、又はクリーニングとは無関係に水滴がかかってしまった際（Ｓ６４０：ＹＥＳ，Ｓ６４１：ＮＯ）に行われる。前者のタイミングで水滴除去動作（Ｓ６２５）が行われることで、液中から出した場合に、付着した液体（水滴）を自動的に除去することができる。また後者のタイミングで水滴除去動作（Ｓ６２５）が行われることで、軽微な水濡れの場合に、ユーザは手動操作を行うことなく、携帯電話機１の水滴を自動的に除去することができる
【００７４】
Ｓ９１１において、携帯電話機１は、バイブレータ２０３をオンするとともに、時間ｔｂ２が経過したか否かの判断（タイマ計測）を開始する（Ｓ９１２）。時間ｔｂ２が経過すると（Ｓ９１２：ＹＥＳ）、携帯電話機１はバイブレータ２０３をオフし（Ｓ９１３）、報知部２０を動作させてクリーニングの終了をユーザに報知する（Ｓ９１４）。なお、クリーニング動作が行われた後に連続して水滴除去動作が行われる場合であって、クリーニング動作に際し他の機能（待受処理等）を停止させていた場合（Ｓ８１１）には、このタイミングで停止させていた他の機能を再開させるようにしてもよい。
【００７５】
以上によれば、通信端末に自身の外装等に付着した汚れを除去する特定の音モード（超音波モード、併用モード）に指定することができる。またクリーニングに適切な音（超音波）を出力するようにしたので、布で拭くといった作業をすることなく、容易に、かつ、傷等を付ける心配もなく安全に、通信端末の汚れを除去することができる。
【００７６】
防水機能付きの通信端末が元々備えている防水スピーカ（第１スピーカ１６２、第２スピーカ２０１）を利用して音（超音波）を出力するようにすれば、少ない部品点数で上記クリーニングの機能を実現することができる。また液中に入れた場合、キャビテーションによる洗浄効果や加速された液体分子の衝撃等による洗浄効果により、通信端末の汚れを効果的に除去することができる。
【００７７】
音モードにおいて複数の周波数の超音波を発生するようにすれば、汚れの性質に応じた周波数により通信端末を効果的に洗浄することができる。
【００７８】
複数の周波数の超音波を発生し、タイマ手段が計時する時間に基づいて、発生する超音波の周波数を複数の周波数のいずれかに切り換えるようにすれば、汚れの性質により周波数を切り換えてより効果的に洗浄することができる。
【００７９】
検出した汚れ度合いに応じて、出力する音の強度、周波数、時間のうちの少なくとも１つを変化させるようにすれば、汚れ度合いに応じて、適切な音モードで通信端末の汚れを除去することができる。
【００８０】
通信端末を液中に入れた場合に、自動的に特定の音モードでのクリーニングを実行するようにすれば、ユーザは手動操作を行うことなく、通信端末の汚れを除去することができる。
【００８１】
また通信端末に自身の外装等に付着した汚れを除去する動作モード（振動モード）を指定することができる。またクリーニングに適切な振動を出力するようにしたので、布で拭くといった作業をすることなく、容易に、また傷等を付ける心配もなく安全に通信端末の汚れを除去することができる。また防水機能付き通信端末が元々備える振動機能を利用するようにしたので、少ない部品点数で上記クリーニングの機能を実現することができる。
【００８２】
検出する汚れ度合いに応じて、出力する振動の強度、周波数、時間の少なくとも１つを変化させるようにすれば、汚れ度合いに応じて、適切な振動モードで、通信端末の汚れを除去することができる。
【００８３】
通信端末を液中に入れた場合に、自動的に特定の振動モードでクリーニングが実行されるようにすれば、ユーザは手動操作を行うことなく通信端末の汚れを除去することができる。また軽微な水濡れが起きた場合に自動的に特定の水滴除去が実行されるようにしたので、ユーザは手動操作を行うことなく、通信端末の水滴を除去することができる。
【００８４】
通信端末が液体に濡れている状態から乾いている方向（軽微な濡れの状態）に遷移したことを検出した際、特定の振動モードでの水滴除去動作を自動的に実行するようにすれば、液中から出した場合に、付着した液体（水滴）を自動的に除去することができる。
【００８５】
また濡れの性質により音モードと振動モードを選択することができるようにすれば、より入念に洗浄することができる。
【００８６】
タイマ手段を用いて音モードと振動モードとの切り換えまたは終了ができるようにすれば、ユーザは洗浄のスタート操作をするだけで、より効果的な洗浄を行うことができる。
【図面の簡単な説明】
【００８７】
【図１】携帯電話機１のブロック図である。
【図２Ａ】携帯電話機１の開いた状態を示す外観斜視図である。
【図２Ｂ】携帯電話機１の閉じた状態を示す外観斜視図である。
【図３】動作モード設定画面３００の一例である。
【図４】携帯電話機１の洗浄を行っている様子を示す図である。
【図５】超音波（スピーカ）及びバイブレータ２０３による動作態様及び各動作態様における洗浄効果を説明する図である。
【図６】携帯電話機１の動作を説明するフローチャートである。
【図７】図６のクリーニングパラメータ設定処理（Ｓ６１８）の詳細を説明するフローチャートである。
【図８】図６のクリーニング動作（Ｓ６２３）の詳細を説明するフローチャートである。
【図９】図６の水滴除去動作（Ｓ６２５）の詳細を説明するフローチャートである。
【符号の説明】
【００８８】
１  携帯電話機
１０２  第１筐体
１０３  第２筐体
１１  中央制御部
１２  ＲＡＭ
１２１  クリーニングパラメータ
１４  無線通信送受信部
１６  音声信号処理部
１６２  第１スピーカ
１７  表示部
１７１  第１表示部
１７２  第２表示部
１８  操作部
１９  ＲＴＣ
２０  報知部
２０１  第２スピーカ
２０２  ＬＥＤ
２０３  バイブレータ
２１  汚れセンサ
２２  濡れセンサ
２４  第１振動子
２５  第２振動子
２６  カメラ
２６１  撮影レンズ
２７  電源
【図１】
0004934863.tif 000002
【図２Ａ】
0004934863.tif 000003
【図２Ｂ】
0004934863.tif 000004
【図３】
0004934863.tif 000005
【図５】
0004934863.tif 000006
【図６】
0004934863.tif 000007
【図７】
0004934863.tif 000008
【図８】
0004934863.tif 000009
【図９】
0004934863.tif 000010
【図４】
0004934863.tif 000011